(57)【要約】【課題】複雑かつ自然な動きをさせることが可能で、その結果、釣果の向上が期待できるワーム型ソフトルアーを提供する。【解決手段】本考案に係るワーム型ソフトルアー１０Ａは、軟質材料で形成された本体部１１Ａと、本体部１１Ａの長さ方向中心Ｐ０に対して対称な２つの第１位置Ｐ１，Ｐ２に埋め込まれた発泡体１２，１２と、本体部１１Ａの長さ方向中心Ｐ０に対して対称な２つの第２位置Ｐ３，Ｐ４に埋め込まれたおもり１３，１３とを備える。第２位置Ｐ３，Ｐ４は、第１位置Ｐ１，Ｐ２よりも長さ方向中心Ｐ０から離れている。【選択図】図１
0003214124.tif 000002
【実用新案登録請求の範囲】
【請求項１】
軟質材料で形成された本体部と、
前記本体部の長さ方向中心に対して対称な２つの第１位置に埋め込まれた発泡体と、
前記本体部の長さ方向中心に対して対称な２つの第２位置に埋め込まれたおもりと、
を備え、
前記第２位置は、前記第１位置よりも前記本体部の長さ方向中心から離れていることを特徴とするワーム型ソフトルアー。
【請求項２】
前記第２位置は、前記本体部の端部にあることを特徴とする請求項１に記載のワーム型ソフトルアー。
【請求項３】
前記本体部の長さ方向中心に対して対称な２つの第３位置に埋め込まれた発泡体をさらに備え、
前記第３位置は、前記第２位置よりも前記本体部の長さ方向中心から離れていることを特徴とする請求項１に記載のワーム型ソフトルアー。
【請求項４】
前記第３位置は、前記本体部の端部にあることを特徴とする請求項３に記載のワーム型ソフトルアー。
【考案の詳細な説明】
【技術分野】
【０００１】
本考案は、その長さ方向中心に鉤を取り付けて使用されるワーム型ソフトルアーに関する。
【背景技術】
【０００２】
従来、生餌を捕食する魚を釣るための様々なワーム型ソフトルアーが提案されている。例えば、特許文献１には、鉤を取り付けた状態における全体の比重を目的とする魚が生息する水域における水の比重に等しくするために、複数の空洞を設けたワーム型ソフトルアーが開示されている。また、特許文献１には、この空洞に発泡素材からなる浮力体を装入することも開示されている。
【先行技術文献】
【特許文献】
【０００３】
【特許文献１】再公表特許ＷＯ２０１２／１６４６０７号公報
【考案の概要】
【考案が解決しようとする課題】
【０００４】
しかしながら、上記ワーム型ソフトルアーは、水中での動きが非常に緩慢なので、竿を小刻みにジャークさせて複雑かつ自然な動きをさせることにより魚を惹きつけるような使い方には不向きであった。
【０００５】
本考案は上記事情に鑑みてなされたものであって、その課題とするところは、複雑かつ自然な動きをさせることが可能で、その結果、釣果の向上が期待できるワーム型ソフトルアーを提供することにある。
【課題を解決するための手段】
【０００６】
上記課題を解決するために、本考案に係るワーム型ソフトルアーは、軟質材料で形成された本体部と、本体部の長さ方向中心に対して対称な２つの第１位置に埋め込まれた発泡体と、本体部の長さ方向中心に対して対称な２つの第２位置に埋め込まれたおもりとを備え、上記第２位置は、上記第１位置よりも本体部の長さ方向中心から離れている、との構成を有する。
【０００７】
上記第２位置は、例えば、本体部の端部に設けることができる。
【０００８】
また、上記ワーム型ソフトルアーは、本体部の長さ方向中心に対して対称な２つの第３位置に埋め込まれた発泡体をさらに備え、上記第３位置は、上記第２位置よりも長さ方向中心から離れている、との構成を有していてもよい。
【０００９】
この場合、上記第３位置は、例えば、本体部の端部に設けることができる。
【考案の効果】
【００１０】
本考案によれば、複雑かつ自然な動きをさせることが可能で、その結果、釣果の向上が期待できるワーム型ソフトルアーを提供することができる。
【図面の簡単な説明】
【００１１】
【図１】本考案の第１実施例に係るワーム型ソフトルアーの縦断面図である。
【図２】第１実施例に係るワーム型ソフトルアーの使用状態を示す図である。
【図３】本考案の第２実施例に係るワーム型ソフトルアーの縦断面図である。
【図４】本考案の第３実施例に係るワーム型ソフトルアーの縦断面図である。
【考案を実施するための形態】
【００１２】
以下、添付図面を参照しつつ、本考案に係るワーム型ソフトルアー（以下、単に「ルアー」という）の実施例について説明する。
【００１３】
［第１実施例］
図１に、本考案の第１実施例に係るワーム型ソフトルアー１０Ａを示す。同図に示すように、ルアー１０Ａは、細長い本体部１１Ａと、本体部１１Ａの長さ方向中心Ｐ０に対して対称な２つの第１位置Ｐ１，Ｐ２に埋め込まれた球状の発泡体１２，１２と、長さ方向中心Ｐ０に対して対称な２つの第２位置Ｐ３，Ｐ４に埋め込まれた球状のおもり１３，１３とを備えている。
【００１４】
本体部１１Ａは、ポリ塩化ビニール等の軟質材料からなる。発泡体１２は、気泡を含んだポリスチレン樹脂（発泡スチロール）からなる。また、おもり１３は、鉛、真鍮等からなる。
【００１５】
第１位置Ｐ１，Ｐ２と長さ方向中心Ｐ０との間の距離は、いずれもＬ１である。第２位置Ｐ３，Ｐ４と長さ方向中心Ｐ０との間の距離は、いずれもＬ２である。そして、距離Ｌ２は距離Ｌ１よりも大きい。すなわち、第２位置Ｐ３，Ｐ４（おもり１３，１３）は、第１位置Ｐ１，Ｐ２（発泡体１２，１２）よりも長さ方向中心Ｐ０から離れている。
【００１６】
また、第２位置Ｐ３，Ｐ４（おもり１３，１３）は、本体部１１Ａの両端部にある。
【００１７】
図２に示すように、本実施例に係るルアー１０Ａは、長さ方向中心Ｐ０に鉤２０を取り付けて使用される。
【００１８】
ユーザーが鉤２０を手前に引き寄せるように竿を操作すると、鉤２０とともに本体部１１Ａの長さ方向中心Ｐ０が引き寄せられる。そして、これにやや遅れて、第１位置Ｐ１，Ｐ２および第２位置Ｐ３，Ｐ４が順次引き寄せられる。
【００１９】
ユーザーが上記の操作をやめると、鉤２０および長さ方向中心Ｐ０の動きが緩やかに止まる。そして、これにやや遅れて、第１位置Ｐ１，Ｐ２および第２位置Ｐ３，Ｐ４の動きも緩やかに止まる。ただし、おもり１３，１３が埋め込まれた第２位置Ｐ３，Ｐ４は、慣性により第１位置Ｐ１，Ｐ２よりも長い間動き続け、第１位置Ｐ１，Ｐ２を追い抜いた位置で止まる。
【００２０】
このように、本実施例に係るルアー１０Ａによれば、長さ方向中心Ｐ０に近い第１位置Ｐ１，Ｐ２に水よりも比重が小さい発泡体１２，１２が埋め込まれ、かつ長さ方向中心Ｐ０から遠い第２位置Ｐ３，Ｐ４に水よりも比重が大きいおもり１３，１３が埋め込まれているので、魚を惹きつけるクネクネとした複雑かつ自然な動きをさせることができる。
【００２１】
［第２実施例］
図３に、本考案の第２実施例に係るルアー１０Ｂを示す。同図に示すように、ルアー１０Ｂは、本体部１１Ｂの両端部よりもやや長さ方向中心Ｐ０寄りの位置に第２位置Ｐ３，Ｐ４がある点においてルアー１０Ａと相違しているが、その他の構成はルアー１０Ａと共通している。
【００２２】
本実施例に係るルアー１０Ｂによれば、ルアー１０Ａと同様の作用効果が得られる。
【００２３】
［第３実施例］
図４に、本考案の第３実施例に係るルアー１０Ｃを示す。同図に示すように、ルアー１０Ｃは、長さ方向中心Ｐ０に対して対称な２つの第３位置Ｐ５，Ｐ６に埋め込まれた球状の発泡体１４，１４をさらに備えている点においてルアー１０Ａと相違しているが、その他の構成はルアー１０Ａと共通している。
【００２４】
発泡体１４は、発泡体１２と同様、気泡を含んだポリスチレン樹脂（発泡スチロール）からなる。
【００２５】
第３位置Ｐ５，Ｐ６と長さ方向中心Ｐ０との間の距離は、いずれもＬ３である。また、距離Ｌ３は距離Ｌ２よりも大きい。すなわち、第３位置Ｐ５，Ｐ６（発泡体１４，１４）は、第１位置Ｐ１，Ｐ２（発泡体１２，１２）および第２位置Ｐ３，Ｐ４（おもり１３，１３）よりも長さ方向中心Ｐ０から離れている。
【００２６】
また、第３位置Ｐ５，Ｐ６（発泡体１４，１４）は、本体部１１Ｃの両端部にある。ただし、第３位置Ｐ５，Ｐ６は、本体部１１Ｃの両端部よりもやや長さ方向中心Ｐ０寄りの位置にあってもよい。
【００２７】
本実施例に係るルアー１０Ｃによれば、ルアー１０Ａ，１０Ｂよりもさらに複雑かつ自然な動きをさせることができる。
【００２８】
［変形例］
以上、本考案に係るワーム型ソフトルアーの第１〜第３実施例について説明してきたが、本考案の構成はこれらに限定されない。
【００２９】
例えば、発泡体１２、おもり１３および発泡体１４の形状は、球状でなくてもよい。また、第１位置Ｐ１，Ｐ２、第２位置Ｐ３，Ｐ４および第３位置Ｐ５，Ｐ６は、コブ状になっていなくてもよい。また、第３位置Ｐ５，Ｐ６のさらに外側および／または第１位置Ｐ１，Ｐ２さらに内側にある、長さ方向中心に対して対称な２つの第４位置におもりが埋め込まれていてもよい。第３位置Ｐ５，Ｐ６のさらに外側に第４位置がある場合、第４位置は、本体部の両端部にあってもよいし、両端部よりもやや長さ方向中心寄りの位置にあってもよい。
【符号の説明】
【００３０】
１０Ａ，１０Ｂ，１０Ｃ    ワーム型ソフトルアー
１１Ａ，１１Ｂ，１１Ｃ    本体部
１２    発泡体
１３    おもり
１４    発泡体
Ｐ０    長さ方向中心
Ｐ１，Ｐ２    第１位置
Ｐ３，Ｐ４    第２位置
Ｐ５，Ｐ６    第３位置
【図１】
0003214124.tif 000003
【図２】
0003214124.tif 000004
【図３】
0003214124.tif 000005
【図４】
0003214124.tif 000006